(57)【要約】【課題】吸収性物品の幅方向の中央において、後部吸収コアの開口近傍の部位の着用者に対する密着性を向上することにより、排泄物を後部ポケットに確実に収容する。【解決手段】吸収性物品１では、後部吸収コア２２２とバックシート２３との間に後部ポケット２７が形成され、後部吸収コア２２２の幅方向の中央領域には、コアエッジ２２２１から長手方向に沿って伸びるおよそ平行な一対の弱化線２４１ａ、および、一対の弱化線２４１ａの間にて幅方向に沿って伸びる補助弱化線２４２が設けられる。吸収性物品１の着用時に、後部吸収コア２２２が弱化線２４１ａおよび補助弱化線２４２にて折れ曲がることにより凸部２４０が形成され、凸部２４０が着用者の臀部の凹部に密着することにより、吸収性物品１の幅方向の中央において、後部吸収コア２２２の開口２５近傍の部位の着用者に対する密着性が向上され、排泄物が後部ポケット２７に確実に収容される。【選択図】図１
2010012216.tif 000002
【特許請求の範囲】
【請求項１】
着用者からの排泄物を受ける吸収性物品であって、
バックシートと、
前記バックシート上に重ねられて前記バックシートに接合され、着用者の股間部に対向する開口を有する吸収性シート部材と、
を備え、
前記吸収性シート部材が、
前記着用者の腹側に配置される前部吸収コアと、
前記着用者の背側に配置される後部吸収コアと、
前記前部吸収コアおよび前記後部吸収コアを被覆するとともに前記前部吸収コアと前記後部吸収コアとの間に前記開口が形成された透液性のコア被覆シートと、
を備え、
前記吸収性シート部材の前記前部吸収コアおよび前記後部吸収コアのうち一方の吸収コアの周囲が、前記開口およびその周辺部を除いて前記バックシートと接合されることにより、前記一方の吸収コアと前記バックシートとの間にポケットが形成され、
前記一方の吸収コアが、前記吸収性シート部材の長手方向に垂直な幅方向における中央領域に、前記開口近傍または前記開口に接するコアエッジから前記長手方向におよそ沿って伸びる弱化線群を有し、着用時に前記一方の吸収コアが前記弱化線群にて折れ曲がることにより、前記一方の吸収コアの前記中央領域に前記バックシートから離れる方向に突出する凸部が形成されることを特徴とする吸収性物品。
【請求項２】
請求項１に記載の吸収性物品であって、
前記長手方向において前記前部吸収コアが前記後部吸収コアよりも長く、
前記一方の吸収コアが前記前部吸収コアであることを特徴とする吸収性物品。
【請求項３】
請求項１に記載の吸収性物品であって、
前記一方の吸収コアが前記後部吸収コアであることを特徴とする吸収性物品。
【請求項４】
請求項１ないし３のいずれかに記載の吸収性物品であって、
前記弱化線群が、前記一方の吸収コアにおいて長手方向に伸びるスリットである弱化線を含むことを特徴とする吸収性物品。
【請求項５】
請求項４に記載の吸収性物品であって、
前記長手方向において、前記弱化線が前記一方の吸収コアの長さの半分よりも長いことを特徴とする吸収性物品。
【請求項６】
請求項１ないし３のいずれかに記載の吸収性物品であって、
前記弱化線群が、およそ平行な一対の弱化線を含むことを特徴とする吸収性物品。
【請求項７】
請求項６に記載の吸収性物品であって、
前記開口から離れた位置において前記一対の弱化線の間にて前記幅方向におよそ沿って伸びる補助弱化線が前記一方の吸収コアに設けられることを特徴とする吸収性物品。
【請求項８】
請求項６または７に記載の吸収性物品であって、
前記一対の弱化線の間の前記幅方向の距離が、前記開口から離れるに従って漸次減少することを特徴とする吸収性物品。
【請求項９】
請求項１ないし８のいずれかに記載の吸収性物品であって、
前記一方の吸収コアの前記開口近傍または前記開口に接する前記コアエッジが、前記幅方向の中央にて前記長手方向に凹状となる凹状部を有することを特徴とする吸収性物品。
【請求項１０】
請求項１ないし９のいずれかに記載の吸収性物品であって、
前記吸収性シート部材が、前記幅方向の両側にて前記長手方向に伸びるとともに前記コア被覆シートに接合される一対の弾性部材をさらに備え、
前記一対の弾性部材が、少なくとも前記開口の前記幅方向の外側から前記一方の吸収コアに重なる位置まで設けられ、収縮することにより前記一方の吸収コアを他方の吸収コアに向かって引き寄せることを特徴とする吸収性物品。
【請求項１１】
請求項１ないし１０のいずれかに記載の吸収性物品であって、
前記バックシートが、
撥水性または不透液性の外装シートと、
前記外装シートの上に積層された親水性シートと、
を備えることを特徴とする吸収性物品。
【請求項１２】
請求項１ないし１０のいずれかに記載の吸収性物品であって、
前記バックシートが、
撥水性または不透液性の外装シートと、
前記外装シートの上に設けられた高吸収性樹脂層と、
を備えることを特徴とする吸収性物品。
【請求項１３】
請求項１ないし１２のいずれかに記載の吸収性物品であって、
前記吸収性シート部材の前記幅方向の両側において前記長手方向のほぼ全長に亘って設けられた一対の側壁部をさらに備えることを特徴とする吸収性物品。
【請求項１４】
請求項１ないし１３のいずれかに記載の吸収性物品であって、
前記吸収性シート部材の前記前部吸収コアおよび前記後部吸収コアのうち他方の吸収コアの周囲が、前記開口およびその周辺部を除いて前記バックシートと接合されることにより、前記他方の吸収コアと前記バックシートとの間にもう１つのポケットが形成され、
前記他方の吸収コアが、前記吸収性シート部材の前記幅方向における前記中央領域に、前記開口近傍または前記開口に接するコアエッジから前記長手方向におよそ沿って伸びる弱化線群を有し、着用時に前記他方の吸収コアが前記弱化線群にて折れ曲がることにより、前記他方の吸収コアの前記中央領域に前記バックシートから離れる方向に突出する凸部が形成されることを特徴とする吸収性物品。
【請求項１５】
請求項１ないし１４のいずれかに記載の吸収性物品であって、
着用者が着用する外装物品の内側に取り付けられる補助吸収具であることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、水分を多く含む軟便等が排泄された場合に、大便が着用者と吸収性物品との間で広がって着用者の肌に広範囲に亘って付着することを防止するため、様々な提案が行われている。
【０００３】
例えば、特許文献１の使い捨ておむつでは、前胴回り域、股下域および後胴回り域を有する液吸収性第１パネルと、液吸収性第１パネル上にて前胴回り域および股下域を覆う液吸収性第２パネルとが設けられ、第１パネルと第２パネルとの間に形成された前ポケットに大便を収容することにより、着用者の肌への大便の付着が抑制される。特許文献１の使い捨ておむつでは、第１パネルと第２パネルとの間において幅方向に伸びる弾性部材が設けられており、当該弾性部材の収縮により前ポケットの幅方向の両側の部位を中央へと引っ張って前ポケットの開口を大きくすることにより、前ポケットにおける大便の収容性向上が図られている。
【０００４】
特許文献２の展開型紙おむつでは、綿状パルプ等により形成された第１吸収体が、バックシート上において着用者の背側から股下を経て腹側にかけて設けられ、第１吸収体と同じく綿状パルプ等により形成された第２吸収体が、第１吸収体上において着用者の背側から股下にかけて設けられている。特許文献２の展開型紙おむつでは、第２吸収体が、股下から背側に向かって第１吸収体から離間することにより、着用者の背側において第１吸収体と第２吸収体との間に排泄物を保持するポケットが形成され、当該ポケット内に軟便等を収容することにより着用者に対する軟便等の付着が抑制される。
【０００５】
一方、特許文献３の生理用ナプキンでは、上面シートと裏面シートとの間に設けられる砂時計型の吸収性コアの股領域に長手方向に伸びる成形線（例えば、エンボス加工によるエンボス線）を設け、吸収性コアの股領域を上向きに逆Ｖ字状に変形させることにより、着用者の排泄部に対する吸収性コアの股下領域の密着性向上が図られている。
【特許文献１】特許第３８１６０１２号公報
【特許文献２】特開２００５−２７９００４号公報
【特許文献３】特表２００２−５３８８４９号公報
【発明の開示】
【発明が解決しようとする課題】
【０００６】
ところで、特許文献１の使い捨ておむつでは、第２パネルが着用者の股間部に密着せず、軟便等の排泄物が前ポケットに収容されることなく第２パネル上に広がって着用者の肌に広範囲に亘って付着してしまうおそれがある。また、特許文献２の紙おむつでは、第２吸収体が着用者の股下から背側に密着せず、軟便等の排泄物がポケットに収容されることなく着用者の臀部中央の凹部等に沿って背側へと広がり、着用者の肌に付着してしまう可能性がある。
【０００７】
本発明は、上記課題に鑑みなされたものであり、吸収性物品の吸収性シート部材の開口近傍の部位を着用者に密着させることを目的としている。
【課題を解決するための手段】
【０００８】
請求項１に記載の発明は、着用者からの排泄物を受ける吸収性物品であって、バックシートと、前記バックシート上に重ねられて前記バックシートに接合され、着用者の股間部に対向する開口を有する吸収性シート部材とを備え、前記吸収性シート部材が、前記着用者の腹側に配置される前部吸収コアと、前記着用者の背側に配置される後部吸収コアと、前記前部吸収コアおよび前記後部吸収コアを被覆するとともに前記前部吸収コアと前記後部吸収コアとの間に前記開口が形成された透液性のコア被覆シートとを備え、前記吸収性シート部材の前記前部吸収コアおよび前記後部吸収コアのうち一方の吸収コアの周囲が、前記開口およびその周辺部を除いて前記バックシートと接合されることにより、前記一方の吸収コアと前記バックシートとの間にポケットが形成され、前記一方の吸収コアが、前記吸収性シート部材の長手方向に垂直な幅方向における中央領域に、前記開口近傍または前記開口に接するコアエッジから前記長手方向におよそ沿って伸びる弱化線群を有し、着用時に前記一方の吸収コアが前記弱化線群にて折れ曲がることにより、前記一方の吸収コアの前記中央領域に前記バックシートから離れる方向に突出する凸部が形成される。
【０００９】
請求項２に記載の発明は、請求項１に記載の吸収性物品であって、前記長手方向において前記前部吸収コアが前記後部吸収コアよりも長く、前記一方の吸収コアが前記前部吸収コアである。
【００１０】
請求項３に記載の発明は、請求項１に記載の吸収性物品であって、前記一方の吸収コアが前記後部吸収コアである。
【００１１】
請求項４に記載の発明は、請求項１ないし３のいずれかに記載の吸収性物品であって、前記弱化線群が、前記一方の吸収コアにおいて長手方向に伸びるスリットである弱化線を含む。
【００１２】
請求項５に記載の発明は、請求項４に記載の吸収性物品であって、前記長手方向において、前記弱化線が前記一方の吸収コアの長さの半分よりも長い。
【００１３】
請求項６に記載の発明は、請求項１ないし３のいずれかに記載の吸収性物品であって、前記弱化線群が、およそ平行な一対の弱化線を含む。
【００１４】
請求項７に記載の発明は、請求項６に記載の吸収性物品であって、前記開口から離れた位置において前記一対の弱化線の間にて前記幅方向におよそ沿って伸びる補助弱化線が前記一方の吸収コアに設けられる。
【００１５】
請求項８に記載の発明は、請求項６または７に記載の吸収性物品であって、前記一対の弱化線の間の前記幅方向の距離が、前記開口から離れるに従って漸次減少する。
【００１６】
請求項９に記載の発明は、請求項１ないし８のいずれかに記載の吸収性物品であって、前記一方の吸収コアの前記開口近傍または前記開口に接する前記コアエッジが、前記幅方向の中央にて前記長手方向に凹状となる凹状部を有する。
【００１７】
請求項１０に記載の発明は、請求項１ないし９のいずれかに記載の吸収性物品であって、前記吸収性シート部材が、前記幅方向の両側にて前記長手方向に伸びるとともに前記コア被覆シートに接合される一対の弾性部材をさらに備え、前記一対の弾性部材が、少なくとも前記開口の前記幅方向の外側から前記一方の吸収コアに重なる位置まで設けられ、収縮することにより前記一方の吸収コアを他方の吸収コアに向かって引き寄せる。
【００１８】
請求項１１に記載の発明は、請求項１ないし１０のいずれかに記載の吸収性物品であって、前記バックシートが、撥水性または不透液性の外装シートと、前記外装シートの上に積層された親水性シートとを備える。
【００１９】
請求項１２に記載の発明は、請求項１ないし１０のいずれかに記載の吸収性物品であって、前記バックシートが、撥水性または不透液性の外装シートと、前記外装シートの上に設けられた高吸収性樹脂層とを備える。
【００２０】
請求項１３に記載の発明は、請求項１ないし１２のいずれかに記載の吸収性物品であって、前記吸収性シート部材の前記幅方向の両側において前記長手方向のほぼ全長に亘って設けられた一対の側壁部をさらに備える。
【００２１】
請求項１４に記載の発明は、請求項１ないし１３のいずれかに記載の吸収性物品であって、前記吸収性シート部材の前記前部吸収コアおよび前記後部吸収コアのうち他方の吸収コアの周囲が、前記開口およびその周辺部を除いて前記バックシートと接合されることにより、前記他方の吸収コアと前記バックシートとの間にもう１つのポケットが形成され、前記他方の吸収コアが、前記吸収性シート部材の前記幅方向における前記中央領域に、前記開口近傍または前記開口に接するコアエッジから前記長手方向におよそ沿って伸びる弱化線群を有し、着用時に前記他方の吸収コアが前記弱化線群にて折れ曲がることにより、前記他方の吸収コアの前記中央領域に前記バックシートから離れる方向に突出する凸部が形成される。
【００２２】
請求項１５に記載の発明は、請求項１ないし１４のいずれかに記載の吸収性物品であって、着用者が着用する外装物品の内側に取り付けられる補助吸収具である。
【発明の効果】
【００２３】
本発明では、吸収性シート部材の開口近傍の部位を着用者に密着させることができる。また、請求項４および５の発明では、弱化線群を容易に形成することができ、請求項５の発明では、さらに、吸収性シート部材の開口近傍の部位を着用者により密着させることができる。
【００２４】
請求項６ないし８、並びに、請求項１０の発明では、凸部を容易に形成することができる。また、請求項９および１０の発明では、排泄物をポケットに確実に収容することができる。
【００２５】
請求項１１の発明では、排泄物の水分をバックシート上にて迅速に拡散させて後部ポケットへと容易に導くことができる。また、請求項１２の発明では、排泄物の水分をバックシート上にて固定することにより着用者への排泄物の付着を抑制することができる。さらに、請求項１３の発明では、排泄物が脚周りから漏出することを防止することができる。
【００２６】
請求項１４の発明では、排泄物の収容力を向上することができるとともに吸収性シート部材の開口近傍の部位の着用者に対する密着性を向上することができる。
【発明を実施するための最良の形態】
【００２７】
図１は、本発明の第１の実施の形態に係る吸収性物品１を広げた状態にて示す平面図である。吸収性物品１は、着用者が着用する外装物品である使い捨ておむつ等の内側に取り付けられ、着用者からの軟便等の排泄物を受ける補助吸収具である。図１では、着用者に接する面（すなわち、着用者側）を手前側にして吸収性物品１を描いている。
【００２８】
図１に示すように、吸収性物品１は、平面視において略矩形状である略シート状の本体部２、および、本体部２の幅方向の両側（すなわち、図１中の左右方向の両側であり、後述する吸収性シート部材２０およびバックシート２３の幅方向の両側でもある。）において幅方向に垂直な長手方向のほぼ全長に亘って設けられた一対のサイドシート３を備える。
【００２９】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。
【００３０】
図２ないし図４はそれぞれ、吸収性物品１を、図１中に示す後方部２０３のＡ−Ａの位置、中間部２０２のＢ−Ｂの位置、および、前方部２０１のＣ−Ｃの位置にて、吸収性物品１の長手方向（すなわち、図１中の上下方向）に垂直な面で切断した断面図であり、図５は、吸収性物品１を図１中に示すＤ−Ｄの位置にて吸収性物品１の幅方向に垂直な面で切断した断面図である。
【００３１】
図２ないし図４に示すように、一対のサイドシート３はそれぞれ、本体部２に接合される帯状の部位である接合部３３、接合部３３の幅方向における内側エッジから少なくとも一部が起立する側壁部３４、および、側壁部３４の着用者側の端部に長手方向に接合される（すなわち、長手方向を向いて配置されるとともに接合される）弾性部材３２を備える。吸収性物品１では、側壁部３４に設けられた弾性部材３２が収縮することにより、本体部２の側方において側壁部３４が着用者側に向かって起立し、着用時に着用者の足の付け根近傍に当接する立体ギャザーが形成される。
【００３２】
接合部３３および側壁部３４としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）が利用される。また、弾性部材３２としては、例えば、ポリウレタン糸、帯状のポリウレタンフィルム、糸状または帯状の天然ゴム等が用いられる。
【００３３】
図１ないし図５に示すように、本体部２は、バックシート２３、および、バックシート２３上（すなわち、バックシート２３の着用者側）に重ねられて周縁部においてバックシート２３に接合される吸収性シート部材２０を備える。吸収性シート部材２０の長手方向のおよそ中央には、図１、図３および図５に示すように、着用者の股間部に対向する開口２５が形成されており、開口２５の幅は、吸収性物品１の幅よりも小さくされる。バックシート２３は、吸収性シート部材２０の開口２５から露出して着用者の股間部に直接対向する中央露出領域２３５を有する。
【００３４】
図１および図５に示すように、吸収性シート部材２０は、吸収性物品１の着用時に着用者の腹側に配置される前部吸収コア２１２、前部吸収コア２１２と長手方向において離間するとともに着用者の背側に配置される後部吸収コア２２２、並びに、前部吸収コアおよび後部吸収コア２２２のそれぞれの上面および下面（すなわち、前部吸収コアおよび後部吸収コア２２２のそれぞれの着用者側およびバックシート２３側）を被覆する透液性のコア被覆シート２２を備える。図１中では、前部吸収コア２１２および後部吸収コア２２２の輪郭を太い破線にて描いている（図６、図７、並びに、図１１ないし図１３においても同様）。
【００３５】
図１に示すように、後部吸収コア２２２の開口２５近傍のコアエッジ２２２１、および、開口２５の後部吸収コア２２２側のエッジは長手方向に関して凹状となっており、前部吸収コア２１２の開口２５近傍のコアエッジ２１２１、および、開口２５の前部吸収コア２１２側のエッジも長手方向に関して凹状となっている。また、後部吸収コア２２２の開口２５近傍のコアエッジ２２２１は、幅方向の中央にて両側の部位よりも長手方向に大きく凹状となる（好ましくは、略Ｕ字状または略Ｖ字状となる）凹状部２２２２を有する。換言すれば、後部吸収コア２２２の開口２５近傍のコアエッジ２２２１では、幅方向の中央における曲率半径が他の部位の曲率半径よりも小さくされる。なお、後部吸収コア２２２の開口２５側のコアエッジ２２２１と開口２５の後部吸収コア２２２側のエッジとが一致している場合には、後部吸収コア２２２の開口２５に接するコアエッジ２２２１が凹状部２２２２を有することとなる。
【００３６】
図２、図４および図５に示すように、コア被覆シート２２は、前部吸収コア２１２および後部吸収コア２２２のそれぞれの上面を覆う第１被覆シート２２０１、並びに、前部吸収コア２１２および後部吸収コア２２２のそれぞれの下面を覆う第２被覆シート２２０２を備える。コア被覆シート２２では、前部吸収コア２１２と後部吸収コア２２２との間に上述の開口２５が形成され、コア被覆シート２２（すなわち、第１被覆シート２２０１および第２被覆シート２２０２）の前部吸収コア２１２を覆う部位と後部吸収コア２２２を覆う部位とは、図３に示すように、開口２５の幅方向の両側にて連続している。
【００３７】
吸収性シート部材２０は、また、図１ないし図４に示すように、開口２５の幅方向の両側にて長手方向に伸びる（すなわち、開口２５の幅方向の外側にて前部吸収コア２１２および後部吸収コア２２２が並ぶ方向を向いて配置される）一対の弾性部材２９を備える。弾性部材２９としては、例えば、ポリウレタン糸、帯状のポリウレタンフィルム、糸状または帯状の天然ゴム等が用いられ、本実施の形態では、各弾性部材２９は２本のポリウレタン糸を有する。弾性部材２９は、少なくとも開口２５の幅方向の外側から後部吸収コア２２２に重なる位置まで設けられ、本実施の形態では、図１に示すように、後部吸収コア２２２に重なる位置から前部吸収コア２１２に重なる位置まで長手方向に伸びている。
【００３８】
図１および図２に示すように、弾性部材２９の後部吸収コア２２２と重なる部位は、後部吸収コア２２２のバックシート２３側にて後部吸収コア２２２とコア被覆シート２２の第２被覆シート２２０２との間に配置され、伸張状態にて第２被覆シート２２０２および後部吸収コア２２２に接合される。また、図１および図４に示すように、弾性部材２９の前部吸収コア２１２と重なる部位は、弾性部材２９の後部吸収コア２２２と重なる部位と同様に、前部吸収コア２１２のバックシート２３側にて前部吸収コア２１２と第２被覆シート２２０２との間に配置され、第２被覆シート２２０２および前部吸収コア２１２に伸張状態にて接合される。
【００３９】
弾性部材２９の前部吸収コア２１２と後部吸収コア２２２との間の部位は、図３に示すように、コア被覆シート２２の第１被覆シート２２０１と第２被覆シート２２０２との間において開口２５近傍に配置され、第１被覆シート２２０１および第２被覆シート２２０２に伸張状態にて接合される。図１に示す吸収性物品１では、一対の弾性部材２９が収縮することにより、前部吸収コア２１２および後部吸収コア２２２が互いに他方に向かって引き寄せられることにより、前方部２０１および後方部２０３が着用者に沿うように変形する。
【００４０】
上述のように、前部吸収コア２１２および後部吸収コア２２２は長手方向に関して離間しているため、開口２５の幅方向の両側の領域（一対の弾性部材２９の幅方向の外側の領域を含む。）には、前部吸収コア２１２および後部吸収コア２２２は存在しない。
【００４１】
図１に示すように、本体部２の長手方向の両端部近傍では、後部吸収コア２２２の幅は本体部２の幅にほぼ等しくされ、前部吸収コア２１２の幅も本体部２の幅にほぼ等しくされる。また、吸収性シート部材２０では、後部吸収コア２２２の開口２５近傍の部位において、後部吸収コア２２２の幅が開口２５および前部吸収コア２１２に近づくに従って漸次減少し、前部吸収コア２１２の開口２５近傍の部位において、前部吸収コア２１２の幅が開口２５および後部吸収コア２２２に近づくに従って漸次減少する。開口２５近傍では、一対の弾性部材２９が、前部吸収コア２１２および後部吸収コア２２２の外側に位置する。
【００４２】
前部吸収コア２１２および後部吸収コア２２２はそれぞれ、親水性繊維（例えば、粉砕したパルプ繊維やセルロース繊維）に粒状の吸水性ポリマー（例えば、ＳＡＰ（Super Absorbent Polymer））を混合したものをティッシュペーパーや透液性不織布等により包み込んで形成され、コア被覆シート２２を透過した水分を吸収して迅速に固定する。親水性繊維を包むティッシュペーパーや透液性不織布等は、親水性繊維および吸水性ポリマーとホットメルト接着剤により接合されて、親水性繊維の型崩れ、および、吸水性ポリマーの脱落（特に、吸水後における脱落）を防止する。
【００４３】
コア被覆シート２２の第１被覆シート２２０１および第２被覆シート２２０２は透液性のシート材料、例えば、親水性繊維により形成された不織布であり、着用者からの排泄物の水分を速やかに捕捉して前部吸収コア２１２および後部吸収コア２２２へと移動させる。コア被覆シート２２として利用される不織布は、例えば、ポイントボンド不織布やエアスルー不織布、スパンレース不織布であり、これらの不織布を形成する親水性繊維としては通常、セルロースやレーヨン、コットン等が用いられる。なお、コア被覆シート２２として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００４４】
バックシート２３は、図２ないし図４に示すように、本体部２の幅方向の両側において着用者側へと折り返され、前部吸収コア２１２および後部吸収コア２２２のそれぞれの幅方向の端部を覆いつつ、コア被覆シート２２の着用者側にてコア被覆シート２２の幅方向の端部にホットメルト接着剤等により接合される。また、一対のサイドシート３は、バックシート２３の幅方向の両側にホットメルト接着剤等により接合される。
【００４５】
吸収性物品１では、図３に示すように、開口２５の幅方向の両側かつ一対の弾性部材２９の幅方向の外側において、コア被覆シート２２のバックシート２３に直接的に対向する面（すなわち、間に介在物が存在しない状態で対向する面）がバックシート２３と非接合とされる。これにより、開口２５の幅方向の両側において、コア被覆シート２２とバックシート２３との間に一対の側部ポケット２８が形成される。
【００４６】
バックシート２３は、図２ないし図５に示すように、撥水性または不透液性の外装シート２３１、外装シート２３１上（すなわち、外装シート２３１の着用者側）に設けられた非常に薄い吸収シート２３３、並びに、外装シート２３１および吸収シート２３３上（すなわち、外装シート２３１および吸収シート２３３の着用者側）に積層された親水性シート２３２を備える。
【００４７】
外装シート２３１としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すのを防止する。外装シート２３１にプラスチックフィルムが利用される場合、吸収性物品１のムレを防止して着用者の快適性を向上するという観点からは、透湿性（通気性）を有するプラスチックフィルムが利用されることが好ましい。
【００４８】
吸収シート２３３は、２枚のシート、および、当該２枚のシートの間に設けられた高吸収性樹脂層を備え、高吸収性樹脂層は、ＳＡＰ等の粒状の吸水性ポリマーをホットメルト接着剤により２枚のシートに固定することにより形成される。２枚のシートとしては、親水性繊維より形成される不織布、親水処理した疎水性繊維より形成される不織布、あるいは、ティッシュ等が利用される。高吸収性樹脂層（すなわち、粒状の吸水性ポリマー）は、上記２枚のシートの間で長手方向に伸びるストライプ状に配置される。換言すれば、長手方向に伸びる複数の高吸収性樹脂層のそれぞれの間に、吸水性ポリマーが存在しない領域が設けられる。そして、吸水性ポリマーが存在しない領域において２枚のシートが接合されることにより、複数の高吸収性樹脂層がそれぞれ封止される。
【００４９】
なお、吸収シート２３３に代えて、ＳＡＰ等の粒状の吸水性ポリマーを外装シート２３１上に散布し、ホットメルト接着剤等により外装シート２３１に接着することにより、高吸収性樹脂層が外装シート２３１上に直接形成されてもよい。また、親水性シート２３２としては、好ましくは、セルロースやレーヨン、コットン等の親水性繊維により形成された不織布（例えば、スパンレース不織布）、あるいは、表面を界面活性剤により親水処理した疎水性繊維（例えば、ポリプロピレン、ポリエチレン、ポリエステル、ポリアミド、ナイロン）にて形成された親水性の不織布が利用される。
【００５０】
本体部２では、図１に示す吸収性シート部材２０の前部吸収コア２１２の周囲が、開口２５およびその周辺部を除いてバックシート２３の着用者側の面と接合されることにより、図４および図５に示すように、前部吸収コア２１２とバックシート２３との間（すなわち、吸収性シート部材２０の前部吸収コア２１２に対応する部位とバックシート２３との間）に前部ポケット２６が形成される。本体部２では、好ましくは、図１に示す前部吸収コア２１２の周囲のうち開口２５から一対の弾性部材２９の幅方向の外側までの部位がバックシート２３と非接合とされ、本実施の形態では、前部吸収コア２１２の周囲のうち、開口２５近傍のコアエッジ２１２１を含むとともにコアエッジ２１２１から本体部２の幅方向の両端部におよそ至る部位が、バックシート２３と非接合とされる。
【００５１】
また、吸収性シート部材２０の後部吸収コア２２２の周囲が、開口２５およびその周辺部を除いてバックシート２３の着用者側の面と接合されることにより、図２および図５に示すように、後部吸収コア２２２とバックシート２３との間（すなわち、吸収性シート部材２０の後部吸収コア２２２に対応する部位とバックシート２３との間）に後部ポケット２７が形成される。本体部２では、好ましくは、図１に示す後部吸収コア２２２の周囲のうち開口２５から一対の弾性部材２９の幅方向の外側までの部位がバックシート２３と非接合とされ、本実施の形態では、後部吸収コア２２２の周囲のうち、開口２５近傍のコアエッジ２２２１を含むとともにコアエッジ２２２１から本体部２の幅方向の両端部におよそ至る部位が、バックシート２３と非接合とされる。吸収性物品１では、前部ポケット２６および後部ポケット２７は、一対の側部ポケット２８と連続している。
【００５２】
図１および図２に示すように、後部吸収コア２２２は、吸収性シート部材２０の幅方向における中央領域に、コアエッジ２２２１から長手方向におよそ沿って伸びる弱化線群２４１を有し、弱化線群２４１は、およそ平行な一対の弱化線２４１ａを含む。また、図１および図５に示すように、後部吸収コア２２２には、開口２５から長手方向に離れた位置において一対の弱化線２４１ａの間にて幅方向におよそ沿って伸びる補助弱化線２４２が設けられる。図１では、弱化線２４１ａおよび補助弱化線２４２の輪郭を破線にて示している（図６、図７、並びに、図１１ないし図１３においても同様）。弱化線２４１ａおよび補助弱化線２４２は、例えば、エンボス加工や切り込み加工、あるいは、後部吸収コア２２２を形成する親水性繊維の量を部分的に減らして後部吸収コア２２２の厚さを薄くすることにより形成され、後部吸収コア２２２において、その周囲の部位よりも剛性が低くされる。
【００５３】
吸収性シート部材２０では、吸収性物品１の着用時に、図１、図２および図５に示すように、後部吸収コア２２２が弱化線群２４１および補助弱化線２４２にて折れ曲がることにより、後部吸収コア２２２の幅方向の中央領域にバックシート２３から離れる方向（すなわち、着用者側）に突出する凸部２４０が形成される。
【００５４】
吸収性物品１では、着用者から排泄された軟便等の排泄物が、開口２５を介してバックシート２３へと向かい、バックシート２３の中央露出領域２３５にて受けられる。中央露出領域２３５にて受けられた排泄物は、後部ポケット２７、側部ポケット２８および前部ポケット２６の内部空間へと移動して収容される。
【００５５】
吸収性物品１では、上述のように、後部吸収コア２２２の幅方向の中央領域に、着用者に向けて突出する凸部２４０が開口２５から長手方向に沿って設けられており、当該凸部２４０が着用者の臀部の凹部に密着する。これにより、吸収性物品１の幅方向の中央において、吸収性シート部材２０の後部吸収コア２２２の開口２５近傍の部位を着用者に密着させることができ、排泄物が着用者の臀部の凹部等に沿って背側へと広がることが防止される。その結果、排泄物を後部ポケット２７、側部ポケット２８および前部ポケット２６に確実に収容して保持することができ、排泄物が広がって着用者の肌に広範囲に亘って付着することが防止される。
【００５６】
また、凸部２４０は、吸収性物品１の着用時に後部吸収コア２２２が弱化線群２４１および補助弱化線２４２にて折れ曲がることにより形成され、着用前の状態の吸収性物品１においては凸部２４０は形成されていないため、着用前の吸収性物品１が嵩高になることが防止される。
【００５７】
このように、吸収性物品１は、後部吸収コア２２２の開口２５近傍の部位が着用者に密着して排泄物を確実に収容することができるため、使い捨ておむつ等の外装物品の内側にて着用者の肌の比較的狭い範囲を覆うとともに容易に交換可能な補助吸収具に特に適している。
【００５８】
吸収性シート部材２０では、弱化線群２４１がおよそ平行な一対の弱化線２４１ａを含むことにより、後部吸収コア２２２の一対の弱化線２４１ａの間の部位を着用者側へと容易に突出させることができ、凸部２４０を容易に形成することができる。また、一対の弱化線２４１ａの間に補助弱化線２４２が設けられることにより、凸部２４０の形成をより容易とすることができる。
【００５９】
後部吸収コア２２２では、コアエッジ２２２１が幅方向の中央に凹状部２２２２を有することにより、開口２５が背側において長手方向に拡大されるため、排泄物を後部ポケット２７、側部ポケット２８および前部ポケット２６にさらに確実に収容することができる。
【００６０】
上述のように、吸収性物品１では、開口２５の両側において伸張状態にてコア被覆シート２２に接合される一対の弾性部材２９が設けられており、弾性部材２９が長手方向に収縮することにより、図３に示すように、一対の側部ポケット２８のそれぞれにおいて、吸収性シート部材２０のコア被覆シート２２がバックシート２３と共に着用者側へと大きく立ち上がる。また、弾性部材２９の収縮により、図２および図５に示すように、後部吸収コア２２２がバックシート２３から離れるように（すなわち、後部ポケット２７における後部吸収コア２２２とバックシート２３との厚さ方向の距離が大きくなるように）着用者側へと持ち上げられる。
【００６１】
これにより、開口２５近傍における吸収性シート部材２０とバックシート２３との間の厚さ方向の距離を大きく維持することができるとともに吸収性シート部材２０の開口２５近傍の部位を着用者により密着させることもできる。その結果、排泄物を後部ポケット２７および側部ポケット２８により確実に収容することができる。さらに、弾性部材２９の収縮により後部吸収コア２２２が着用者側に凸となるように撓むことにより、凸部２４０の形成がより容易とされる。
【００６２】
また、後部吸収コア２２２から前部吸収コア２１２に亘って設けられる一対の弾性部材２９が収縮することにより、図４および図５に示すように、前部吸収コア２１２がバックシート２３から離れるように（すなわち、前部ポケット２６における前部吸収コア２１２とバックシート２３との厚さ方向の距離が大きくなるように）着用者側へと持ち上げられる。これにより、開口２５近傍における吸収性シート部材２０とバックシート２３との間の厚さ方向の距離をより大きくすることができるとともに吸収性シート部材２０の開口２５近傍の部位を着用者にさらに密着させることもできる。その結果、排泄物を前部ポケット２６により確実に収容することができる。
【００６３】
吸収性物品１では、一対の弾性部材２９が開口２５の幅方向における近傍に配置されることにより、一対の側部ポケット２８のそれぞれにおいて、吸収性シート部材２０のコア被覆シート２２がバックシート２３と共に着用者側へとより大きく立ち上がる。これにより、開口２５近傍における吸収性シート部材２０とバックシート２３との間の厚さ方向の距離をより大きくすることができるとともに吸収性シート部材２０の開口２５近傍の部位を着用者により一層密着させることもできる。
【００６４】
吸収性物品１のバックシート２３では、撥水性または不透液性の外装シート２３１の着用者側に親水性シート２３２が積層されることにより、バックシート２３の中央露出領域２３５にて受けた排泄物の水分をバックシート２３上にて長手方向に迅速に拡散させ、後部ポケット２７および前部ポケット２６の内部空間へと容易に導くことができる。また、外装シート２３１の着用者側に吸収シート２３３（の高吸収性樹脂層）が設けられることにより、排泄物の水分をバックシート２３上にて固定することができるため、着用者の肌への排泄物の付着がさらに抑制される。
【００６５】
吸収性物品１では、本体部２の幅方向の両側に一対の側壁部３４が形成されることにより、後部ポケット２７、側部ポケット２８および前部ポケット２６に収容されなかった排泄物が、着用者の脚周りから漏出することを防止することができる。
【００６６】
次に、本発明の第２の実施の形態に係る吸収性物品について説明する。図６は、第２の実施の形態に係る吸収性物品１ａを広げた状態で示す平面図である。図６に示すように、吸収性物品１ａでは、後部吸収コア２２２に図１に示す弱化線２４１ａとは形状が異なるおよそ平行な一対の弱化線２４１ｂが、後部吸収コア２２２のコアエッジ２２２１から長手方向におよそ沿って伸びる弱化線群２４１として設けられる。図６に示す一対の弱化線２４１ｂの間の幅方向の距離は、開口２５から長手方向に離れるに従って漸次減少する。後部吸収コア２２２では、また、図１に示す補助弱化線２４２とは形状が異なる補助弱化線２４２ａにより、一対の弱化線２４１ａの開口２５とは反対側の端部が接続される。その他の構成は、図１ないし図５に示す吸収性物品１と同様であり、以下の説明において対応する構成に同符号を付す。
【００６７】
吸収性物品１ａでは、第１の実施の形態と同様に、着用時に後部吸収コア２２２が弱化線群２４１（すなわち、一対の弱化線２４１ｂ）および補助弱化線２４２ａにて折れ曲がることにより、後部吸収コア２２２の幅方向の中央領域にバックシート２３から離れる方向（すなわち、着用者側）に突出する凸部２４０ａが形成される。そして、凸部２４０ａが着用者の臀部の凹部に密着することにより、吸収性物品１ａの幅方向の中央において、吸収性シート部材２０の後部吸収コア２２２の開口２５近傍の部位を着用者に密着させることができ、排泄物が着用者の臀部の凹部等に沿って背側へと広がることが防止される。その結果、排泄物を後部ポケット２７、側部ポケット２８および前部ポケット２６に確実に収容して保持することができ、排泄物が広がって着用者の肌に広範囲に亘って付着することが防止される。
【００６８】
また、凸部２４０ａは、吸収性物品１ａの着用時に後部吸収コア２２２が弱化線群２４１および補助弱化線２４２ａにて折れ曲がることにより形成され、着用前の状態の吸収性物品１ａにおいては凸部２４０ａは形成されていないため、着用前の吸収性物品１ａが嵩高になることが防止される。
【００６９】
次に、本発明の第３の実施の形態に係る吸収性物品について説明する。図７は、第３の実施の形態に係る吸収性物品１ｂを広げた状態で示す平面図である。図７に示すように、吸収性物品１ｂは、図１に示す吸収性物品１の吸収性シート部材２０およびサイドシート３とは形状が異なる吸収性シート部材２０ａおよびサイドシート３ａを備える。その他の構成は、図１ないし図５に示す吸収性物品１と同様であり、以下の説明において対応する構成に同符号を付す。
【００７０】
図８および図９はそれぞれ、吸収性物品１ｂを、図７中に示す前方部２０１のＥ−Ｅの位置、および、中間部２０２のＦ−Ｆの位置にて、吸収性物品１ｂの長手方向に垂直な面で切断した断面図であり、図１０は、吸収性物品１ｂを図１中に示すＧ−Ｇの位置にて吸収性物品１ｂの幅方向に垂直な面で切断した断面図である。なお、吸収性物品１ｂでは、後方部２０３の構造は前方部２０１の構造とほぼ同様であり、後方部２０３の長手方向に垂直な断面図は図８と同様である。
【００７１】
図７に示すように、吸収性シート部材２０ａでは、長手方向の中央よりも後側（すなわち、図７中の下側）に開口２５が形成されており、開口２５の幅は、吸収性物品１ｂの幅よりも小さくされる。吸収性シート部材２０ａでは、長手方向において前部吸収コア２１２が後部吸収コア２２２よりも長く、本実施の形態では、前部吸収コア２１２の長さは後部吸収コア２２２の長さのおよそ２倍以上となっている。
【００７２】
前部吸収コア２１２の開口２５側のコアエッジ２１２１、および、開口２５の前部吸収コア２１２側の前部エッジ２５２は長手方向に関して凹状となっており、後部吸収コア２２２の開口２５側のコアエッジ２２２１、および、開口２５の後部吸収コア２２２側の後部エッジ２５３も長手方向に関して凹状となっている。
【００７３】
図７および図８に示すように、前部吸収コア２１２は、吸収性シート部材２０ａの幅方向における中央領域に、開口２５近傍に位置するコアエッジ２１２１（図７のみに図示）から長手方向におよそ沿って伸びる弱化線群２４３を有し、本実施の形態では、弱化線群２４３は、前部吸収コア２１２においてコアエッジ２１２１から長手方向に伸びるスリットである１つの弱化線２４３ａにより構成される。また、図７に示すように、後部吸収コア２２２も、前部吸収コア２１２と同様に、吸収性シート部材２０ａの幅方向における中央領域に、開口２５近傍に位置するコアエッジ２２２１から長手方向におよそ沿って伸びる弱化線群２４４を有し、本実施の形態では、弱化線群２４４は、後部吸収コア２２２においてコアエッジ２２２１から長手方向に伸びるスリットである１つの弱化線２４４ａにより構成される。弱化線２４３ａおよび弱化線２４４ａはそれぞれ、長手方向において前部吸収コア２１２および後部吸収コア２２２の長さの半分よりも長い。
【００７４】
なお、平面視において前部吸収コア２１２のコアエッジ２１２１と開口２５の前部エッジ２５２とが一致している場合には、弱化線群２４３は、前部吸収コア２１２の開口２５に接するコアエッジ２１２１から長手方向におよそ沿って伸び、平面視において後部吸収コア２２２のコアエッジ２２２１と開口２５の後部エッジ２５３とが一致している場合には、弱化線群２４４は、後部吸収コア２２２の開口２５に接するコアエッジ２２２１から長手方向におよそ沿って伸びることとなる。
【００７５】
図７ないし図９に示す一対のサイドシート３ａはそれぞれ、１枚のシート部材を２つ折りにして２層構造とした帯状部材の当該２層の間に、長手方向に伸びる弾性部材を伸張状態にて接合することにより形成される。各サイドシート３ａは、コア被覆シート２２およびバックシート２３に接合される帯状の部位である接合部３３、接合部３３の幅方向における内側エッジ３３１から少なくとも一部が起立する側壁部３４、側壁部３４の着用者側の端部に長手方向に接合される（すなわち、長手方向を向いて配置されるとともに接合される）弾性部材３２、および、接合部３３の内側エッジ３３１に長手方向に接合される弾性部材３５を備える。
【００７６】
以下の説明では、図７ないし図９に示す吸収性シート部材２０ａに設けられる弾性部材２９、および、これらの弾性部材３２，３５を区別するために、それぞれ「第１弾性部材２９」、「第２弾性部材３２」および「第３弾性部材３５」という。第２弾性部材３２および第３弾性部材３５としては、例えば、ポリウレタン糸、帯状のポリウレタンフィルム、糸状または帯状の天然ゴム等が用いられる。本実施の形態では、第２弾性部材３２は２本のポリウレタン糸を有し、第３弾性部材３５は１本のポリウレタン糸を有する。
【００７７】
図８および図９に示すように、コア被覆シート２２の着用者側に接合された接合部３３は、コア被覆シート２２の幅方向の外側において、バックシート２３の吸収性シート部材２０ａの側端部を覆う部位を覆い、さらに、バックシート２３の着用者とは反対側の側端部まで設けられてバックシート２３にもホットメルト接着剤等により接合される。このように、本体部２の側部が撥水性または不透液性のサイドシート３ａにより覆われることにより、万一、本体部２の側部において吸収性シート部材２０ａとバックシート２３との接合不良が存在しても、前部ポケット２６、側部ポケット２８および後部ポケット２７の内部空間に収容された排泄物が、接合不良箇所から外部にしみ出すことを確実に防止することができる。また、上述のように、サイドシート３ａが２層構造とされるため、排泄物の外部へのしみ出しをより確実に防止することができる。
【００７８】
図７および図９に示すように、接合部３３の内側エッジ３３１（すなわち、接合部３３と側壁部３４との境界）は、吸収性シート部材２０ａの開口２５の側方エッジ２５１よりも幅方向の内側に位置し、開口２５の側方エッジ２５１近傍の部位は接合部３３により覆われる。これにより、接合部３３の内側エッジ３３１に接合される第３弾性部材３５は、開口２５を跨いで長手方向に接合されることとなる。
【００７９】
図１１は、図７と同様に、吸収性物品１ｂを広げた状態にて示す平面図であり、図１１では、各サイドシート３ａの接合部３３のうち、ホットメルト接着剤等を介して吸収性シート部材２０ａに実際に接合される部位に平行斜線を付す。図１１に示すように、接合部３３のコア被覆シート２２上に直接接合される部位のうち、開口２５の前部エッジ２５２から前方に（すなわち、長手方向において開口２５から離れる方向に）所定の距離（例えば、約２ｃｍ）内の部位、および、開口２５の後部エッジ２５３から後方に所定の距離（例えば、約２ｃｍ）内の部位は、吸収性シート部材２０ａのコア被覆シート２２と非接合とされる。換言すれば、各サイドシート３ａの接合部３３は、前部吸収コア２１２上の開口２５の前部エッジ２５２近傍においてコア被覆シート２２と非接合とされ、後部吸収コア２２２上の開口２５の近傍においてコア被覆シート２２と非接合とされる。
【００８０】
各サイドシート３ａは、図８および図９に示すように、接合部３３の内側エッジ３３１から着用者側かつ幅方向の外側へと折り返されており、折り返された部位である側壁部３４の長手方向の両端部は、接合部３３上にホットメルト接着剤等により固定される。吸収性物品１ｂでは、側壁部３４に伸張状態にて接合された第２弾性部材３２が収縮することにより、側壁部３４の長手方向の両端部（すなわち、接合部３３上に固定された部位）の間の部位が、接合部３３の内側エッジ３３１から着用者側かつ幅方向の外側に向かって起立し、吸収性物品１ｂの着用時に着用者の足の付け根近傍に当接する立体ギャザーが形成される。
【００８１】
吸収性シート部材２０ａでは、上述のように、前部吸収コア２１２の幅方向における中央領域にコアエッジ２１２１から長手方向におよそ沿って伸びる弱化線群２４３が形成され、後部吸収コア２２２の幅方向における中央領域にコアエッジ２２２１から長手方向におよそ沿って伸びる弱化線群２４４が形成される。そして、前部吸収コア２１２は、吸収性物品１ｂの着用時に弱化線群２４３にて折れ曲がり、これにより、図８に示すように、前部吸収コア２１２の中央領域にバックシート２３から離れる方向に突出する凸部２４０ｂが形成される。また、後部吸収コア２２２も、吸収性物品１ｂの着用時に弱化線群２４４にて折れ曲がり、これにより、後部吸収コア２２２の中央領域にバックシート２３から離れる方向に突出する凸部が形成される。
【００８２】
その結果、吸収性シート部材２０の開口２５近傍の部位を着用者に密着させ、排泄物を前部ポケット２６、側部ポケット２８および後部ポケット２７に確実に収容して保持することができ、排泄物が広がって着用者の肌に広範囲に亘って付着することが防止される。このように、吸収性物品１ｂは、排泄物が広い範囲に広がってしまうことを防止することができるため、上述の吸収性物品１，１ａと同様に、使い捨ておむつ等の外装物品の内側にて着用者の肌の比較的狭い範囲を覆うとともに容易に交換可能な補助吸収具に特に適している。
【００８３】
吸収性シート部材２０ａでは、弱化線群２４３が、長手方向に伸びるスリットである弱化線２４３ａとされることにより、弱化線群２４３を容易に形成することができる。また、弱化線群２４４が、長手方向に伸びるスリットである弱化線２４４ａとされることにより、弱化線群２４４を容易に形成することができる。なお、吸収性物品１ｂでは、弱化線群２４３，２４４はそれぞれ、１本の弱化線２４３ａ，２４４ａのみとされるが、上記弱化線群はそれぞれ、長手方向に伸びるスリットである弱化線を含んでいれば、複数の弱化線とされてもよい。これにより、弱化線群を容易に形成することができる。
【００８４】
上述のように、吸収性シート部材２０ａでは、弱化線２４３ａが長手方向において前部吸収コア２１２の長さの半分よりも長くされることにより、前部吸収コア２１２の中央領域に凸部２４０ｂがより容易に形成される。また、弱化線２４４ａが長手方向において後部吸収コア２２２の長さの半分よりも長くされることにより、後部吸収コア２２２の中央領域に凸部がより容易に形成される。その結果、前部吸収コア２１２および後部吸収コア２２２の開口近傍の部位（すなわち、吸収性シート部材２０ａの開口２５近傍の部位）を着用者にさらに密着させることができる。
【００８５】
吸収性シート部材２０ａでは、開口２５の両側（すなわち、幅方向の外側）において伸張状態にてコア被覆シート２２に接合される一対の第１弾性部材２９が設けられており、第１弾性部材２９が長手方向に収縮することにより、図９に示すように、一対の側部ポケット２８のそれぞれにおいて、吸収性シート部材２０のコア被覆シート２２がバックシート２３と共に着用者側へと大きく立ち上がる。これにより、側部ポケット２８の高さを大きくすることができる。
【００８６】
また、第１弾性部材２９の収縮により、前部吸収コア２１２および後部吸収コア２２２が互いに他方に向かって引き寄せられ、図８および図１０に示すように、前部吸収コア２１２および後部吸収コア２２２がバックシート２３から離れるように着用者側へと持ち上げられる。これにより、開口２５近傍における吸収性シート部材２０ａとバックシート２３との間の厚さ方向の距離を大きくすることができるとともに吸収性シート部材２０ａの開口２５近傍の部位を着用者により密着させることもできる。その結果、排泄物を前部ポケット２６、側部ポケット２８および後部ポケット２７により確実に収容して保持することができ、排泄物が広がって着用者の肌に広範囲に亘って付着することが防止される。
【００８７】
吸収性物品１ｂでは、着用者側に向かって起立する一対の側壁部３４が設けられることにより、開口２５を介して前部ポケット２６、側部ポケット２８および後部ポケット２７に収容されずに開口２５の周囲に排出される尿等の排泄物が、吸収性物品１ｂの側方から外部に漏出すること（いわゆる、横漏れ）を防止することができる。また、各側壁部３４が、接合部３３の内側エッジ３３１から幅方向の外側に向かって起立することにより、側壁部３４の形状安定性が向上して側壁部３４が着用者の肌に密着しやすくなるため、排泄物の横漏れをより確実に防止することができる。
【００８８】
上述の吸収性物品１ｂでは、一対のサイドシート３ａのそれぞれにおいて、接合部３３の内側エッジ３３１に開口２５を跨いで伸張状態にて接合された第３弾性部材３５が収縮することにより、前部吸収コア２１２および後部吸収コア２２２が互いに他方に向かって引き寄せられる。このため、前部吸収コア２１２および後部吸収コア２２２がバックシート２３から離れるように（すなわち、前部ポケット２６における前部吸収コア２１２とバックシート２３との厚さ方向の距離、および、後部ポケット２７における後部吸収コア２２２とバックシート２３との厚さ方向の距離が大きくなるように）着用者側へと持ち上げられる。
【００８９】
これにより、開口２５近傍における吸収性シート部材２０ａとバックシート２３との間の厚さ方向の距離を大きく維持することができるとともに吸収性シート部材２０ａの開口２５近傍の部位を着用者に密着させることもできる。その結果、排泄物を前部ポケット２６、側部ポケット２８および後部ポケット２７に確実に収容して保持することができ、排泄物が広がって着用者の肌に広範囲に亘って付着することが防止される。
【００９０】
上述のように、吸収性物品１ｂでは、各サイドシート３ａの接合部３３が、前部吸収コア２１２上の開口２５の前部エッジ２５２近傍においてコア被覆シート２２と非接合とされ、後部吸収コア２２２上の開口２５の後部エッジ２５３近傍においてコア被覆シート２２と非接合とされる。これにより、開口２５近傍において前部吸収コア２１２および後部吸収コア２２２がサイドシート３ａから独立して変形可能とされ、第３弾性部材３５および第１弾性部材２９の収縮により前部吸収コア２１２および後部吸収コア２２２がバックシート２３から離れる方向に凸状に変形しやすくなる。その結果、開口２５近傍における吸収性シート部材２０ａとバックシート２３との間の厚さ方向の距離をさらに大きくすることができるとともに吸収性シート部材２０ａの開口２５近傍の部位を着用者にさらに密着させることもできる。
【００９１】
吸収性物品１ｂでは、各サイドシート３ａの第３弾性部材３５は、接合部３３と側壁部３４との境界である接合部３３の内側エッジ３３１上に接合されるが、第３弾性部材３５は、接合部３３の開口２５の側方エッジ２５１よりも幅方向の内側、または、側壁部３４の接合部３３近傍（すなわち、内側エッジ３３１近傍）に接合されていればよい。このように接合された第３弾性部材３５が収縮することにより、上記と同様に、前部吸収コア２１２および後部吸収コア２２２が互いに他方に向かって引き寄せられ、前部吸収コア２１２および後部吸収コア２２２がバックシート２３から離れるように着用者側へと持ち上げられる。その結果、開口２５近傍における吸収性シート部材２０ａとバックシート２３との間の厚さ方向の距離をより大きくすることができるとともに吸収性シート部材２０ａの開口２５近傍の部位を着用者に密着させることもできる。
【００９２】
吸収性物品１ｂでは、前部吸収コア２１２および後部吸収コア２２２をバックシート２３からより大きく離れるように着用者側へと持ち上げるためには、第３弾性部材３５が、接合部３３または側壁部３４において、接合部３３の内側エッジ３３１近傍に接合されることが好ましい。このように、前部吸収コア２１２および後部吸収コア２２２のバックシート２３に固定されている部位（すなわち、両吸収コアの側方エッジ）から幅方向に離れた位置にて両吸収コアを長手方向に互いに引き寄せることにより、開口２５近傍における吸収性シート部材２０ａとバックシート２３との間の厚さ方向の距離をより大きくし、吸収性シート部材２０ａの開口２５近傍の部位を着用者により密着させることができる。
【００９３】
以上、本発明の実施の形態について説明してきたが、本発明は上記実施の形態に限定されるものではなく、様々な変更が可能である。
【００９４】
第１の実施の形態に係る吸収性物品１では、後部吸収コア２２２に設けられる弱化線の形状は、必ずしも上記実施の形態にて示す形状には限定されず、例えば、図１２に示す吸収性物品１ｃのように、一対の弱化線２４１ｃが弱化線群２４１として後部吸収コア２２２に設けられてもよい。吸収性物品１ｃでは、およそ平行な一対の弱化線２４１ｃの間の幅方向の距離が、開口２５から離れるに従って漸次減少しており、一対の弱化線２４１ｃの開口２５とは反対側の端部は接続されている。吸収性物品１ｃの着用時には、後部吸収コア２２２の一対の弱化線２４１ｃおよびコアエッジ２２２１に囲まれる部位が着用者側に突出する凸部２４０ｃとなる。また、図１３に示す吸収性物品１ｄのように、幅方向の中央にて長手方向に伸びる１本の弱化線２４１ｄが弱化線群２４１として後部吸収コア２２２に設けられてもよい。吸収性物品１ｄの着用時には、後部吸収コア２２２の弱化線２４１ｄ近傍の部位が着用者側に突出する凸部２４０ｄとなる。
【００９５】
第１の実施の形態に係る吸収性物品１では、弱化線群２４１が後部吸収コア２２２に設けられ、前部吸収コア２１２には弱化線群は設けられていないが、弱化線群は、前部吸収コア２１２のみに設けられてもよい。この場合、吸収性物品１の着用時に、前部吸収コア２１２の幅方向の中央領域に凸部が形成され、吸収性シート部材２０の前部吸収コア２１２の開口２５近傍の部位が着用者に密着する。また、吸収性物品１では、前部吸収コア２１２の開口２５近傍または開口２５に接するコアエッジ２１２１に、幅方向の中央にて両側の部位よりも長手方向に大きく凹状となる（好ましくは、略Ｕ字状または略Ｖ字状となる）凹状部が設けられてもよい。
【００９６】
吸収性物品では、排泄物が収容されるポケットの容積を大きくして排泄物が着用者の肌に広範囲に亘って付着することをより確実に防止するためには、吸収性シート部材とバックシート２３との間に前部ポケット２６および後部ポケット２７の双方が設けられることが好ましい。また、前部ポケット２６および後部ポケット２７を形成する前部吸収コア２１２および後部吸収コア２２２の双方に、幅方向の中央領域においてコアエッジから長手方向におよそ沿って伸びる弱化線群が設けられることが好ましく、これにより、吸収性シート部材の開口２５近傍の部位を着用者により密着させることが可能とされる。
【００９７】
ただし、前部吸収コア２１２および後部吸収コア２２２のうち一方の吸収コアとバックシート２３との間にポケットが形成され、他方の吸収コアとバックシート２３との間にはポケットが形成されない場合（この場合、吸収性シート部材の上記他方の吸収コアに対応する部位が、およそ全面に亘ってバックシート２３に接合される。）であっても、当該一方の吸収コアの幅方向の中央領域に上述の弱化線群が設けられ、吸収性物品の着用時に一方の吸収コアが弱化線群にて折れ曲がってバックシートから離れる方向に突出する凸部が形成されることにより、吸収性シート部材の開口２５近傍の部位を着用者に密着させることができる。その結果、排泄物が着用者の肌に広範囲に亘って付着することが防止される。
【００９８】
このように、一方の吸収コアとバックシート２３との間にポケットが形成され、他方の吸収コアとバックシート２３との間にはポケットが形成されない場合、前部吸収コア２１２が上記一方の吸収コアとされて前部ポケット２６が形成されることにより、ベッド等で仰向けに寝ている状態の着用者からの排泄物を、前部ポケット２６に確実に収容することができ、排泄物が着用者の肌に広範囲に亘って付着することを防止することができる。さらに、長手方向において前部吸収コア２１２が後部吸収コア２２２よりも長くされることにより、前部ポケット２６の容積を増大させ、ベッド等で仰向けに寝ている状態の着用者からの排泄物をより確実に収容することができる。また、後部吸収コア２２２が上記一方の吸収コアとされて後部ポケット２７が形成される場合には、着用者の背側に向かう排泄物を後部ポケット２７に確実に収容することができる。
【００９９】
（第１）弾性部材２９は、開口２５近傍における吸収性シート部材とバックシート２３との間の厚さ方向の距離を大きくし、吸収性シート部材の開口２５近傍の部位を着用者に密着させるという観点からは、前部吸収コア２１２に重なる位置から後部吸収コア２２２に重なる位置まで設けられることが好ましいが、必ずしも、前部吸収コア２１２に重なる位置から後部吸収コア２２２に重なる位置まで設けられる必要はない。例えば、吸収性物品において前部ポケット２６および後部ポケット２７が設けられる場合、（第１）弾性部材２９は、少なくとも開口２５の側方エッジ２５１（図７ないし図９参照）よりも幅方向の外側の位置から前部吸収コア２１２および後部吸収コア２２２のうち一方の吸収コアに重なる位置まで設けられていればよい。また、前部吸収コア２１２および後部吸収コア２２２のうち一方の吸収コアとバックシート２３との間にポケットが形成され、他方の吸収コアとバックシート２３との間にはポケットが形成されない場合、（第１）弾性部材２９は、開口２５の側方エッジ２５１よりも幅方向の外側の位置から当該一方の吸収コアに重なる位置まで設けられる。（第１）弾性部材２９は、コア被覆シート２２に接合されていればよく、例えば、前部吸収コア２１２および後部吸収コア２２２の上側（着用者側）にて両吸収コアとコア被覆シート２２の第１被覆シート２２０１との間に接合されてもよい。
【０１００】
吸収性シート部材では、コア被覆シート２２は１枚のシート部材とされてもよく、この場合、当該シート部材の前部吸収コア２１２および後部吸収コア２２２の着用者側を覆う部位が第１被覆シート２２０１に相当し、前部吸収コア２１２および後部吸収コア２２２のバックシート２３側を覆う部位が第２被覆シート２２０２に相当する。また、コア被覆シート２２は、少なくとも前部吸収コア２１２および後部吸収コア２２２の着用者側を覆っていればよい。
【０１０１】
バックシート２３は、少なくとも撥水性または不透液性の外装シート２３１を備えていればよく、親水性シート２３２および吸収シート２３３のいずれか一方または両方が省略されてもよい。
【０１０２】
上述の吸収性物品の構造は、外装物品の内側に取り付けられる補助吸収具以外にも、例えば、上端に胴部開口を有し、下部に一対の脚部開口を有するパンツタイプの使い捨ておむつや、着用者の腹側に当接する部位と背側に当接する部位とを腰回りで止着して着用するオープンタイプの使い捨ておむつに適用されてよい。
【図面の簡単な説明】
【０１０３】
【図１】本発明の第１実施の形態に係る吸収性物品の平面図である。
【図２】吸収性物品の断面図である。
【図３】吸収性物品の断面図である。
【図４】吸収性物品の断面図である。
【図５】吸収性物品の断面図である。
【図６】本発明の第２実施の形態に係る吸収性物品の平面図である。
【図７】本発明の第３実施の形態に係る吸収性物品の平面図である。
【図８】吸収性物品の断面図である。
【図９】吸収性物品の断面図である。
【図１０】吸収性物品の断面図である。
【図１１】吸収性物品の平面図である。
【図１２】吸収性物品の他の例を示す平面図である。
【図１３】吸収性物品の他の例を示す平面図である。
【符号の説明】
【０１０４】
１，１ａ〜１ｄ    吸収性物品
２０，２０ａ    吸収性シート部材
２２    コア被覆シート
２３    バックシート
２５    開口
２６    前部ポケット
２７    後部ポケット
２９    （第１）弾性部材
３４    側壁部
２１２    前部吸収コア
２２２    後部吸収コア
２３１    外装シート
２３２    親水性シート
２３３    吸収シート
２４０，２４０ａ〜２４０ｄ    凸部
２４１，２４３，２４４    弱化線群
２４１ａ〜２４１ｄ，２４３ａ，２４４ａ    弱化線
２４２，２４２ａ    補助弱化線
２１２１，２２２１    コアエッジ
２２２２    凹状部
【図１】
2010012216.tif 000003
【図２】
2010012216.tif 000004
【図３】
2010012216.tif 000005
【図４】
2010012216.tif 000006
【図５】
2010012216.tif 000007
【図６】
2010012216.tif 000008
【図７】
2010012216.tif 000009
【図８】
2010012216.tif 000010
【図９】
2010012216.tif 000011
【図１０】
2010012216.tif 000012
【図１１】
2010012216.tif 000013
【図１２】
2010012216.tif 000014
【図１３】
2010012216.tif 000015